(57)【要約】【課題】凹部の大きさを大きくすることなく、発光パネルを簡単に装着できる発光パネル式照明器具を提供する。【解決手段】発光パネル式照明器具１０は、表面１ａから光を放射する発光パネル１と、この発光パネル１が挿入されて装着される凹部２１を有する筐体２と、凹部２１内に挿入される発光パネル１に係合して当該発光パネル１を装着位置にガイドするガイド溝２３とを備えている。ガイド溝２３は、凹部２１の開口する方向に対して斜め方向に延在するように設けられている。【選択図】図２
2007220597.tif 000002
【特許請求の範囲】
【請求項１】
表面から光を放射する発光パネルと、この発光パネルが挿入されて装着される凹部を有する筐体と、前記凹部内に挿入される発光パネルに係合して当該発光パネルを装着位置にガイドするガイド部とを備え、
前記ガイド部は、凹部の開口する方向に対して斜め方向に延在するように設けられていることを特徴とする発光パネル式照明器具。
【請求項２】
前記ガイド部は、前記凹部の開口周縁部に開口するように当該凹部の両内側面に設けられたガイド溝であり、
前記筐体には、前記ガイド溝の開口を覆い隠す化粧パネルが取り付けられていることを特徴とする請求項１に記載の発光パネル式照明器具。
【発明の詳細な説明】
【技術分野】
【０００１】
本発明は、発光パネルを用いた照明器具に関するものである。
【背景技術】
【０００２】
従来、有機ＥＬ（Electro Luminescence）や無機ＥＬを利用した発光パネルを液晶表示装置のバックライトとして使用することが知られている（例えば、特許文献１参照）。この発光パネルは、液晶表示パネルの裏面側に配設され、液晶表示パネルの裏面に沿って当該裏面に平行な方向に抜き差しできるようになっている。
【特許文献１】実開平０４−１３０９２６号公報
【発明の開示】
【発明が解決しようとする課題】
【０００３】
近年では、前記発光パネルを照明器具の光源として用いることが試みられている。例えば、ダウンライトや足元灯等の壁面埋込型の照明器具に発光パネルを用いる場合には、壁面に取り付けられる筐体の凹部に正面から発光パネルを挿入して装着することが考えられる。
【０００４】
しかしながら、このように凹部に正面から発光パネルを挿入すると、発光パネル自体によって凹部が塞がれてしまうため、ユーザーが凹部内を視認できず、発光パネルを装着し難くなる可能性がある。特に足元灯の場合には、取付位置が低いことから、さらに作業性が悪くなる。
【０００５】
ここで、発光パネルを簡単に装着できるようにするためには、凹部の大きさ自体を大きくすることが考えられるが、このようにすると、凹部と発光パネルとの間に大きな隙間が生じるため、外観上好ましくない。
【０００６】
本発明は、このような事情に鑑み、凹部の大きさを大きくすることなく、発光パネルを簡単に装着できる発光パネル式照明器具を提供することを目的とする。
【課題を解決するための手段】
【０００７】
前記課題を解決するために、本発明の発光パネル式照明器具は、表面から光を放射する発光パネルと、この発光パネルが挿入されて装着される凹部を有する筐体と、前記凹部内に挿入される発光パネルに係合して当該発光パネルを装着位置にガイドするガイド部とを備え、前記ガイド部は、凹部の開口する方向に対して斜め方向に延在するように設けられていることを特徴とするものである。
【０００８】
発光パネルをさらに簡単に装着でき、しかも良好な外観を得るために、前記ガイド部は、前記凹部の開口周縁部に開口するように当該凹部の両内側面に設けられたガイド溝であり、前記筐体には、前記ガイド溝の開口を覆い隠す化粧パネルが取り付けられていることが好ましい。
【発明の効果】
【０００９】
本発明によれば、凹部内に挿入される発光パネルを装着位置にガイドするガイド部を、凹部の開口する方向に対して斜め方向に延在するように設けたから、発光パネルを凹部内に挿入するときには、ガイド部の延在方向に沿って斜めに挿入すればよいため、ガイド部を視認しながら発光パネルをガイド部に係合させることができる。従って、凹部の大きさを大きくすることなく、発光パネルを簡単に装着できるようになる。特に、発光パネル式照明器具が足元灯として使用される場合には、足元に位置する筐体の凹部に上方から発光パネルを差し込むことができ、正面から差し込む場合よりも作業性が格段に向上する。
【発明を実施するための最良の形態】
【００１０】
以下、本発明を実施するための最良の形態について、図面を参照しながら詳細に説明する。
【００１１】
図１および図２に示すように、本発明の一実施形態に係る発光パネル式照明器具１０は、床面５を照らす足元灯として使用されるものであり、表面１ａから光を放射する板状の発光パネル１と、この発光パネル１を収容する筐体２と、この筐体２に取り付けられる化粧パネル３とを備えている。なお、本発明の発光パネル式照明器具は、足元灯として使用されるものに限らず、例えばダウンライト等として使用されるものであってもよい。
【００１２】
発光パネル１は、有機ＥＬを利用したものであり、平面視で正方形状をなしている。具体的には、発光パネル１は、図３に示すように、基板１１と、この基板１１の上面に積層された第１電極層１２、有機発光層１３および第２電極層１４からなる有機ＥＬ層と、第１封止部材１５および第２封止部材１６とを備えている。すなわち、基板１１の下面が発光パネル１の表面１ａを構成し、第２封止部材１６の上面が発光パネル１の裏面１ｂを構成している。
【００１３】
基板１１は、前記有機ＥＬ層を支持するための平板状の部材であり、有機発光層１３で発光する光の波長に対して透明な材料、例えばガラス等からなる。
【００１４】
第１電極層１２は、有機発光層１３で発光する光の波長に対して透明な材料からなる導電性の薄膜であり、陽極となる。第１電極層１２は、有機発光層１３が可視光を発光するので、例えばＩＴＯ（Indium Tin Oxide）等で形成される。第１電極層１２は、その一部が基板１１の一方端側に第１封止部材１５から露出するように引き出されて陽極端子部１２１を形成している。
【００１５】
有機発光層１３は、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層１２および第２電極層１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第２電極層１４は、有機発光層１３で発光する波長の光を反射する材料からなる導電性の薄膜であり、陰極となる。第２電極層１４は、例えばアルミニウム（Ａｌ）、アルミリチウム（Ａｌ：Ｌｉ）およびマグネシウム銀（Ｍｇ：Ａｇ）等の金属や合金等で形成される。第２電極層１４は、その一部が基板１１の一方端側に対向する他方端側に第１封止部材１５から露出するように引き出されて陰極端子部１４１を形成している。
【００１６】
第１封止部材１５および第２封止部材１６は、基板１１と協同して有機発光層１３を気密に封止するための絶縁性の部材である。例えば接着性を有する樹脂製の第１封止部材１５が、陽極端子部１２１を除く第１電極層１２、有機発光層１３および陰極端子部１４１を除く第２電極層１４を覆うように塗布され、例えばガラス製の板状部材からなる第２封止部材１６が、第１封止部材１５を介して第２電極層１４上に載せられて圧力が加えられることによって、第２封止部材１６が第１封止部材１５によって第２電極層１４に接着されると共に、第２封止部材１６の周縁部が第１封止部材１５によって基板１１に気密に接着して接合される。これによって第１封止部材１５および第２封止部材１６は、基板１１と協同して有機発光層１３を気密に封止する。
【００１７】
また、第２封止部材１６の上面、すなわち発光パネル１の裏面１ｂには、口金１７が設けられている。この口金１７は、裏面１ｂに配索された導電線１７ａ，１７ｂによって陽極端子部１２１および陰極端子部１４１と電気的に接続されている。
【００１８】
筐体２は、床面５に垂直な壁面４に取り付けられるものであり、発光パネル１が挿入されて装着される前方（図１では右側）に開口する凹部２１と、この凹部２１の開口周縁部から外側に広がる鍔部２２とを有している。この筐体２は、例えば鋼板または合成樹脂等で構成されている。
【００１９】
凹部２１は、正面視で左右方向に延びる長方形状となる直方体容器状をなしている。この凹部２１の内側面２１ａ同士の間の寸法は、発光パネル１の幅寸法よりも小さく設定されている。
【００２０】
また、凹部２１の両内側面２１ａには、凹部２１の開口する方向（前方）に対して斜め上向きに延在するガイド溝（ガイド部）２３が設けられている。このガイド溝２３の延在する方向と凹部２１の開口する方向とのなす角度は、側面視で略６０度である。
【００２１】
ガイド溝２３は、凹部２１内に挿入される発光パネル１の左右両端部に係合して当該発光パネル１を装着位置にガイドするためのものであり、凹部２１の開口周縁部に開口するように、換言すれば鍔部２２を切り欠くように設けられている。すなわち、ガイド溝２３の開口２３ａが発光パネル１を凹部２１内に挿入するための挿入口を構成している。また、ガイド溝２３の底面２３ｂは、発光パネル１を当て止めるストッパーとなっており、開口２３ａから挿入されてガイド溝２３にガイドされながら凹部２１内に押し込まれた発光パネル１は、底面２３ｂに当接することにより装着位置で停止し、その状態でガイド溝２３に保持されるようになる。
【００２２】
また、凹部２１の底面には、発光パネル１が凹部２１内に挿入されて装着位置に位置したときに、発光パネル１の口金１７に接続されるソケット２４が設けられており、発光パネル１をガイド溝２３に沿って凹部２１内に挿入するだけで、ソケット２４と口金１７とが接続されて発光パネル１に電力が供給されるようになる。
【００２３】
化粧パネル３は、正面視で筐体２の鍔部２２よりも一回り大きな横長長方形状をなしている。化粧パネル３の裏面側には、図４に示すように、鍔部２２が嵌り込み可能な窪み部３１が設けられており、窪み部３１が鍔部２２に嵌め込まれることにより化粧パネル３が筐体２に取り付けられるようになっている。
【００２４】
また、化粧パネル３の中央には、凹部２１の大きさと略同程度の大きさの窓３２が設けられている。このため、化粧パネル３を筐体２に取り付けたときには、ガイド溝２３の開口２３ａが化粧パネル３で覆い隠されるようになる。なお、窓３２には、ガラス等の透明部材が嵌めこまれていてもよい。
【００２５】
本実施形態の発光パネル式照明器具１０では、凹部２１内に挿入される発光パネル１を装着位置にガイドするガイド溝２３を、凹部２１の開口する方向に対して斜め上向きに延在するように設けたから、発光パネル１を凹部２１内に挿入するときには、図４に示すように、ガイド溝２３の延在方向に沿って斜めに挿入すればよいため、ガイド溝２３を視認しながら発光パネル１をガイド溝２３に係合させることができる。従って、凹部２１の大きさを大きくすることなく、発光パネル１を簡単に装着できるようになる。特に、本実施形態の発光パネル式照明器具１０は足元灯として使用されるものであるので、足元に位置する筐体２の凹部２１に上方から発光パネル１を差し込むことができ、正面から差し込む場合よりも作業性が格段に向上する。
【００２６】
さらに、ガイド溝２３が傾斜していることから、発光パネル１を装着した状態では、発光パネル１が光を放射する方向が斜め下向きとなるため、発光パネル式照明器具１０を通常の足元灯よりも高い位置に配設することが可能になり、さらに装着の作業性を向上させることができる。
【００２７】
また、ガイド溝２３は、凹部２１の開口周縁部に開口するように設けられているので、ユーザーが発光パネル１を挿入する位置である開口２３ａを一目で認識できるようになり、発光パネル１をさらに簡単に装着できるようになる。しかも、ガイド溝２３の開口２３ａを覆い隠す化粧パネル３を取り付けたから、良好な外観を得ることができる。
【００２８】
なお、前記実施形態では、発光パネル１の左右両端部を直接ガイド溝２３に係合させるようになっているが、図５（ａ）に示すように、発光パネル１の左右両端部にゴムまたは合成樹脂等からなる断面略コ字状の保護部材６を取り付け、この保護部材６を介して発光パネル１の左右両端部をガイド溝２３に係合させるようにしてもよい。このようにすれば、発光パネル１の破損を防止することができる。
【００２９】
または、図５（ｂ）に示すように、第２封止部材１６の上面に、基板１１よりも幅寸法の大きな合成樹脂等からなる支持基板１８を接合したものを発光パネル１とし、この支持基板１８の左右両端部をガイド溝２３に係合させるようにしてもよい。
【００３０】
さらには、図５（ｃ）に示すように、比較的厚めの支持基板１８を第２封止部材１６の上面に接合し、この支持基板１８の端面に凹溝１８ａを設けるとともに、筐体２の凹部２１の両内側面２１ａに、凹溝１８ａに係合可能なように当該内側面２１ａから突出するとともに側面視で斜め方向に延在する突条部２３’を設けることによって、突条部２３’を本発明のガイド部とすることも可能である。
【００３１】
また、前記実施形態では、発光パネル１は、有機ＥＬを利用したものであったが、発光パネル１は、無機ＥＬを利用したものであってもよい。
【図面の簡単な説明】
【００３２】
【図１】本発明の一実施形態に係る発光パネル式照明器具が壁面に取り付けられたときの側面図である。
【図２】発光パネル式照明器具の分解斜視図である。
【図３】（ａ）は発光パネルの平面図、（ｂ）は（ａ）のＡ−Ａ線断面図である。
【図４】発光パネル式照明器具の分解側面断面図である。
【図５】（ａ）および（ｂ）は変形例の発光パネルの一部拡大断面図、（ｃ）は変形例の発光パネルおよび凹部の内側面の一部拡大断面図である。
【符号の説明】
【００３３】
１    発光パネル
１ａ  表面
２    筐体
２１  凹部
２１ａ  内側面
２３  ガイド溝（ガイド部）
２３ａ  開口
２３’  突条部（ガイド部）
３    化粧パネル
４    壁面
１０  発光パネル式照明器具
【図１】
2007220597.tif 000003
【図２】
2007220597.tif 000004
【図３】
2007220597.tif 000005
【図４】
2007220597.tif 000006
【図５】
2007220597.tif 000007